(57)【要約】【課題】メモリ性液晶を用いてデジタル時計の時刻修正などの強調表示を行う際においても表示品質を劣化させない。【解決手段】対向面に走査電極と信号電極とを有する一対の基板間に、少なくとも二つの安定状態を持つメモリ性液晶を挟持したメモリ性液晶表示装置において、一画面を構成するためのフレーム期間が、メモリ性液晶の二つの安定状態のうち、どちらか一方の安定状態にするリセット期間ＲＳと、表示状態を決定する選択期間ＳＥと、該選択期間で決定された表示状態を維持する非選択期間ＮＳＥとで構成される通常表示モードと、フレーム期間が、表示状態を決定する選択期間ＳＥと、該選択期間ＳＥで決定された表示状態を維持する非選択期間ＮＳＥとのみで構成される特定表示モードとを切り替える機構を備えたことを特徴とする。【選択図】図１
2008070627.tif 000002
【特許請求の範囲】
【請求項１】
対向面に走査電極と信号電極とを有する一対の基板間に、少なくとも二つの安定状態を持つメモリ性液晶を挟持したメモリ性液晶パネルを有するメモリ性液晶表示装置において、
一画面を構成するためのフレーム期間が、前記メモリ性液晶の前記二つの安定状態のうち、どちらか一方の安定状態にするリセット期間と、表示状態を決定する選択期間と、該選択期間で決定された表示状態を維持する非選択期間とで構成される通常表示モードと、
前記フレーム期間が、表示状態を決定する選択期間と、該選択期間で決定された表示状態を維持する非選択期間とのみで構成される特定表示モードとを切り替える機構を備えたことを特徴とするメモリ性液晶表示装置。
【請求項２】
前記特定表示モードに切り替えたときには、反転表示が行われることを特徴とする請求項１に記載のメモリ性液晶表示装置。
【請求項３】
前記メモリ性液晶パネルに印加する駆動電圧の正側実効値と負側実効値とが、前記一画面を構成するフレーム期間において等しいことを特徴とする請求項１に記載のメモリ性液晶表示装置。
【請求項４】
前記フレーム期間は、第一のフィールド期間と第二のフィールド期間との二つの期間で構成され、前記第一のフィールド期間における前記選択期間に印加される選択パルスと、前記第二のフィールドにおける前記選択パルスとは極性が反転していることを特徴とする請求項１に記載のメモリ性液晶表示装置。
【請求項５】
前記選択期間における前記走査電極に印加される走査側電圧波形は、双極性パルスで構成され、前記信号電極に印加される信号側電圧波形は片極性パルスで構成されていることを特徴とする請求項１に記載のメモリ性液晶表示装置。
【請求項６】
前記特定表示モードに切り替えたときは、一部の前記走査電極または前記信号電極にのみ電圧が印加される部分駆動が行われることを特徴とする請求項１に記載のメモリ性液晶表示装置。
【発明の詳細な説明】
【技術分野】
【０００１】
本発明は、メモリ性液晶パネルに関するものであり、特に液晶の二つの安定状態によるメモリ性効果を利用することで低電圧動作を可能とし、さらに強調表示を実現するにあたり容易な回路構成で表示品質を向上させるようなメモリ性液晶表示装置に関する。
【背景技術】
【０００２】
最近注目されている電子書籍や電子新聞などにおいて、表示画面を頻繁に切り替えないような携帯情報端末の表示装置として、メモリ性を有する液晶が注目されている。メモリ性を有するということは、すなわち電圧が無印加時においても表示状態を維持することができる。この特徴を用いることで液晶表示装置の消費電力を低減することが可能になる。メモリ性を有する液晶パネルに用いられる液晶材料としては、強誘電性液晶、コレステリック液晶等が知られている。
【０００３】
ここで、液晶パネルを駆動する方法について、メモリ液晶として強誘電性液晶を用いて説明する。図２は、一般的な液晶パネルの構成を示す断面図である。図２に示すように、液晶パネル４０は、約２ｕｍの厚さの液晶層４２を挟持した一対のガラス基板４３ａ、４３ｂと、これら２枚のガラス基板４３ａ、４３ｂを接着するシール剤４７とで構成されている。ガラス基板４３ａ、４３ｂのそれぞれの対向面には、複数の画素をドットマトリクス状に配置するように透明電極（ＩＴＯ）４４ａ、４４ｂが形成されており、その上に配向膜４５ａ、４５ｂが配置され、配向処理が成されている。
【０００４】
さらに、一方のガラス基板（以下、第１のガラス基板とする）４３ａの外側には、第１の偏光板４１ａが設置されている。他方のガラス基板（以下、第２のガラス基板とする）４３ｂの外側には、第１の偏光板４１ａと偏光軸が９０°異なるようにして第２の偏光板４１ｂが設置されている。この第２の偏光板４１ｂの外側には、反射板４６が配置されている。また、第２の偏光板４１ｂと反射板４６の代わりに、偏光機能を備えた反射型偏光板を設置してもより。また、反射板４６を半透過反射板として第２の偏光板４１ｂの内側に配置してもよい。
【０００５】
次に、強誘電性液晶の電気光学効果について説明する。図３は強誘電性液晶の透過率と電圧の特性図である。強誘電性液晶は２つの安定状態を持ち、その２つの安定状態はある閾値を超えた電圧を印加することによって状態が切り替わり、印加電圧の極性によって第１の強誘電状態（ＯＮ状態）あるいは第２の強誘電状態（ＯＦＦ状態）を選択することができる。すなわち初期（電圧無印加）時には、第１あるいは第２の強誘電状態で安定して存在するが、電圧がＶ１を超えてＶ２まで印加されると、第１の強誘電状態になる。その状態から印加電圧を徐々に下げても第１の強誘電状態を維持する。さらに電圧をＶ３からＶ４を超えて印加することで液晶分子は第２の強誘電状態に切り替わる。その状態から印加電圧を徐々に上げても第２の強誘電状態を維持する。この特性図で明らかなように強誘電性液晶を用いた液晶ディスプレイは、電圧が無印加時すなわち消費電力がゼロの時においても、その透過率、つまり表示状態を維持（メモリ性）できる。
【０００６】
図４は強誘電性液晶をマトリクス型の画素（例えば３×３）に形成したときの液晶パネルの平面図である。図４に示すようなマトリクス型の液晶パネルは、通常、時分割駆動方法によって表示を行っている。すなわち、走査電極群ＴＰ１〜ＴＰ３を１ライン毎に例えばＴＰ１、ＴＰ２、・・・へと、走査電極駆動回路（図示せず）から走査側電圧波形として電圧が順次印加され、それに同期した信号側電圧波形が、同様に信号電極駆動回路（図示せず）から信号電極群ＳＧ１〜ＳＧ３へと並列に印加される。なお、信号側電圧は画素に表示される内容に応じた信号波形が出力する。
【０００７】
このとき、ＯＮ状態のときに白表示、ＯＦＦ状態のときに黒表示になるように、液晶パネルの外側に配置した一対の偏光板（図示しない）については、それぞれの吸収軸がクロスニコルになるように配置する。
【０００８】
次に、このような図２に示す強誘電性液晶パネルの１行１列の画素Ｐｉｘ（１，１）を先ず白表示（ａ）、次に黒表示（ｂ）とする駆動方法について図５を用いて説明する。図５は、一般的な強誘電性液晶パネルを駆動するための走査側電圧波形と信号側電圧波形、および画素に印加する合成電圧波形と強誘電性液晶の透過率曲線を示したものである。横軸は時間であり、縦軸は各電圧波形に関しては電圧、透過率曲線に関しては透過率を示したものである。
【０００９】
第一のフィールド期間Ｆ１において、リセット期間ＲＳは、全ての走査電極ＴＰ１〜ＴＰ３に走査側電圧波形ＴＰ１で示すようなリセット電圧±ＶＳの双極性パルスが印加される。同時に、全ての信号電極に信号側電圧波形ＳＧ１で示すような信号電圧±ＶＤの双極性パルスが印加される。これにより、リセット期間ＲＳの後半部では、リセット電圧と信号電圧の差分の電圧−（ＶＳ＋ＶＤ）が全ての画素に印加され、全ての画素は、図３の閾値電圧Ｖ４を超え、第二の強誘電状態すなわち黒表示となる。
【００１０】
選択期間ＳＥでは、走査電極ＴＰ１に選択電圧±ＶＳの双極性パルスが印加され、信号電極ＳＧ１に信号電圧±ＶＤの双極性パルスが印加される。これにより、選択期間ＳＥ１の後半部では、選択電圧と信号電圧の差分の電圧＋（ＶＳ＋ＶＤ）が画素Ｐｉｘ（１，１）に印加され、図３の閾値電圧Ｖ２を超え、第一の強誘電状態すなわち白表示となる。
【００１１】
保持期間ＮＳＥでは、走査電極ＴＰ１に電圧ゼロが印加され、信号電極ＳＧ１に表示内容に応じた信号電圧±ＶＤの双極性パルスが印加される。図中四角で示したパルスは、＋ＶＤ、−ＶＤによって構成される任意のパルス列である。例えば、一方の表示内容では、リセット電圧と同様に、＋ＶＤ、−ＶＤの順に印加され、他方の表示内容では、−ＶＤ、＋ＶＤの順に印加される。合成電圧波形ＴＳ（１，１）で示す通り、保持期間ＮＳＥ１では、信号側電圧波形ＳＧ１がそのまま反映され、±ＶＤの電圧がＰｉｘ（１，１）に印加されるが図３の閾値電圧Ｖ３を超えないので、選択期間ＳＥ１で決定された透過率を維持し、白表示が持続される。
【００１２】
第二のフィールド期間Ｆ２において、リセット期間ＲＳは、全ての走査電極ＴＰ１〜ＴＰ３に走査側電圧波形ＴＰ１で示すようなリセット電圧±ＶＲＴの双極性パルスが印加される。同時に、全ての信号電極に信号側電圧波形ＳＧ１で示すような信号電圧±ＶＤの双極性パルスが印加される。これにより、リセット期間ＲＳの後半部では、リセット電圧と信号電圧の差分の電圧−（ＶＲＴ＋ＶＤ）が全ての画素に印加され、全ての画素は、図３の閾値電圧Ｖ４を超え、第二の強誘電状態すなわち黒表示となる。
【００１３】
選択期間ＳＥでは、走査電極ＴＰ１に選択電圧±ＶＳの双極性パルスが印加され、信号電極ＳＧ１に信号電圧±ＶＤの双極性パルスが印加される。これにより、選択期間ＳＥ２の後半部では、選択電圧と信号電圧の差分の電圧＋（ＶＳ−ＶＤ）が画素Ｐｉｘ（１，１）に印加されるが図３の閾値電圧Ｖ１を超えないので、リセット期間ＲＳで決定された透過率を維持し、黒表示が持続される。
【００１４】
保持期間ＮＳＥでは、走査電極ＴＰ１に電圧ゼロが印加され、信号電極ＳＧ１に表示内容に応じた信号電圧±ＶＤの双極性パルスが印加される。図中四角で示したパルスは、＋ＶＤ、−ＶＤによって構成される任意のパルス列である。例えば、一方の表示内容では、リセット電圧と同様に、＋ＶＤ、−ＶＤの順に印加され、他方の表示内容では、−ＶＤ、＋ＶＤの順に印加される。合成電圧波形ＴＳ（１，１）で示す通り、保持期間ＮＳＥでは、信号側電圧波形ＳＧ１がそのまま反映され、±ＶＤの電圧がＰｉｘ（１，１）に印加されるが図３の閾値電圧Ｖ１を超えないので、リセット期間ＲＳで決定された透過率を維持し、黒表示が持続される。
【００１５】
このように一画面を構成するフレーム期間において、駆動電圧の正側実効値と負側実効値とが等しくなるように設定されている。なお、透過率波形ＴＶ（１，１）は上述した波形を強誘電性液晶パネルに印加したときの光学特性をフォトディテクタ等で検出したときのものである。
【００１６】
図６が、図５で図示した駆動方法をデジタル時計等に用いた表示例である。時刻修正などの特定表示モード（修正箇所を操作者に知らせるために点滅表示）を行う場合について説明する。「１０：２３：４５」と時刻表示されている際に、秒を表している「４５」の部分を修正する場合には、「４５」の部分のみを点滅表示させる。前述した駆動波形を採用したときには、まず修正箇所をリセット期間ＲＳ１の前半で白表示（明状態）、後半で黒表示（暗状態）が行われ、そして選択期間Ｓ１で「４５」が表示されない状態となる。次に、リセット期間ＲＳ２の前半で白表示、後半で黒表示が行われ、そして選択期間ＳＥ２で「４５」が表示される。選択期間ＳＥ１，ＳＥ２の後には、それぞれ非選択期間が設けられているが、図６中には省略して図示していない。
【００１７】
このように従来は、メモリ性液晶を駆動するためには、走査側電圧波形を出力する走査電極駆動回路（ドライバＩＣ）の負担を軽減するため、走査電極駆動回路（ドライバＩＣ）とは別に、独立した電圧変換手段を備え、液晶へ印加する駆動電圧を変動可能にする方法が提案されている（例えば、特許文献１参照）。この特許文献１に開示されているメモリ性液晶素子は液晶材料にコレステリック液晶やカイラルネマティック液晶を使用し、縦方向に三層の表示層が重なった構造が採用されている液晶表示装置である。
【００１８】
また、表示コントローラの指令に従って所定の論理で加工する表示データ加工回路を備えることで、反転・点滅表示機能有する液晶表示素子駆動装置が提案されている（例えば、特許文献２参照）。
【００１９】
【特許文献１】特開２００１−４２８１２号公報（第４頁、第４図）
【特許文献２】特開平６−１１８９３７号公報（第１１−１２頁、第２図）
【発明の開示】
【発明が解決しようとする課題】
【００２０】
メモリ性の動作モードを有する強誘電性液晶を用いて、走査電極と信号電極とを備えたマトリクス型の液晶パネルを作製し、線順次駆動方法によって強誘電性液晶にデータ表示を行う場合、全画面を一度に白表示あるいは黒表示するためのリセット期間を必要としていたために、画面切り替え速度が遅くなるといった問題点が生じた。
【００２１】
さらに、全画面同時に表示するリセット期間においては、液晶表示装置の各画素と接続しているドライバＩＣの出力トランジスタが全て導通しインピーダンスが低くなるために、ドライバＩＣに供給する電流能力を大きくする必要があり、消費電力を増加させるといった問題点も生じた。
【００２２】
さらに、点滅表示などの特定表示モードを行う際にも、リセット期間に全画面を一度に白表示あるいは黒表示するので、特定のデータを表示する際に、画面にデータが表示されない期間が生じ、表示品質が著しく低下するといった問題点も判明した。
【課題を解決するための手段】
【００２３】
上述した課題を解決し目的を達成するために本発明は以下の構成を採用する。対向面に走査電極と信号電極とを有する一対の基板間に、少なくとも二つの安定状態を持つメモリ性液晶を挟持したメモリ性液晶パネルを用いたメモリ性液晶表示装置において、一画面を構成するためのフレーム期間が、メモリ性液晶の二つの安定状態のうち、どちらか一方の安定状態にするリセット期間と、表示状態を決定する選択期間と、選択期間で決定された表示状態を維持する非選択期間とで構成される通常表示モードと、フレーム期間が、表示状態を決定する選択期間と、選択期間で決定された表示状態を維持する非選択期間とのみで構成される特定表示モードとを切り替える機構を備えたことを特徴とする。
【００２４】
特定表示モードに切り替えたときには、反転表示が行われることを特徴とする。また、メモリ性液晶パネルに印加する駆動電圧の正側実効値と負側実効値とが、一画面を構成するフレーム期間において等しいことを特徴とする。
【００２５】
フレーム期間は、第一のフィールド期間と第二のフィールド期間との二つの期間で構成され、第一のフィールド期間における選択期間に印加される選択パルスと、第二のフィールドにおける選択パルスとは極性が反転していることを特徴とする。選択期間における走査電極に印加される走査側電圧波形は、双極性パルスで構成され、信号電極に印加される信号側電圧波形は片極性パルスで構成されていることを特徴とする。
【００２６】
特定表示モードに切り替えたときは、一部の走査電極または信号電極にのみ電圧が印加される部分駆動が行われることを特徴とする。
【発明の効果】
【００２７】
本発明によれば、特定データ表示時における画面切り替えの際に、リセット期間が不要となるので、書き換え時間が短縮できる。また、リセット期間にドライバＩＣに供給するリセット電圧も不要となるので、電源回路が縮小し、低消費電力化と低コスト化を実現できる。
【００２８】
さらに、特定の表示を行う際には、画面に全くデータが表示されないといった期間が無くなるので、見やすい表示媒体が可能となる。
【発明を実施するための最良の形態】
【００２９】
以下に図面を参照して、この発明にかかるメモリ性液晶表示装置の実施の形態を詳細に説明する。本発明のメモリ性液晶としては、強誘電性液晶、コレステリック液晶などを採用することができる。
【実施例１】
【００３０】
本実施例ではメモリ性液晶パネルに強誘電性液晶を用いた。本実施例では先に説明した図２の液晶パネル構成および図４の電極構成を採用し、印加電圧と液晶パネルの透過率の関係は図３の特性を示した。以下、本発明の液晶表示装置の具体的な駆動方法について図１図４、および図７を用いて説明する。
【００３１】
図７は、本発明を用いた駆動方法をデジタル時計等に用いた表示例である。時刻修正などの特定表示モードを行う場合について説明する。「１０：２３：４５」と時刻表示されている際に、秒を表している「４５」の部分を修正する場合には、「４５」の部分のみを反転表示させる。本発明を用いた駆動方法では、リセット期間が必要なく、選択期間ＳＥ１，ＳＥ２と非選択期間だけで表示が行われる。選択期間ＳＥ１では、白背景で黒文字の「４５」が表示され、選択期間ＳＥ２では、黒背景で白文字の「４５」が表示される。選
択期間ＳＥ１とＳＥ２が順次行われることで、「４５」の秒部が反転表示し、修正箇所を操作者に知らせることができる。
【００３２】
次に図７の表示を行うための駆動方法について、図１および図４を用いて説明する。図４に図示するように、最初の時間（ａ）では、強誘電性液晶パネルの１行１列目の画素Ｐｉｘ（１，１）を白、１行２列目の画素Ｐｉｘ（１，２）を黒に表示し、次の時間（ｂ）では、１行１列目の画素Ｐｉｘ（１，１）を黒、１行２列目の画素Ｐｉｘ（１，２）を白に表示する駆動方法を以下に示す。
【００３３】
図１の第一の期間Ｆ１において、図４（ａ）に図示するところの強誘電性液晶パネルの１行１列目の画素Ｐｉｘ（１，１）を白表示とするには、選択期間ＳＥに走査電極ＴＰ１は選択電圧±ＶＳの双極性パルスを出力し、保持期間ＮＳＥに保持電圧０Ｖを出力する。選択期間ＳＥに信号電極ＳＧ１はデータ電圧−ＶＤの片極性パルスを出力する。
【００３４】
画素Ｐｉｘ（１，１）に印加する駆動電圧は、走査電極側の電位０Ｖを基準とするとＴＳ（１，１）のようになる。選択期間ＳＥの後半で電圧（＋ＶＳ＋ＶＤ）が印加されると図３でいうところの閾値Ｖ１を超え第１の強誘電状態すなわち白表示となる。なお保持期間ＮＳＥでは走査側電極波形は一定出力であるために、信号側電極波形と同等の電圧波形±ＶＤが印加されるが図３でいうところの閾値Ｖ３を超えないので、第１の強誘電状態すなわち白表示を維持する。
【００３５】
同様に、１行２列目の画素Ｐｉｘ（１，２）が黒表示とするには、第一の期間Ｆ１において、選択期間ＳＥに走査電極ＴＰ１は選択電圧±ＶＳの双極性パルスを出力し、保持期間ＮＳＥに保持電圧０Ｖを出力する。選択期間ＳＥに信号電極ＳＧ２はデータ電圧＋ＶＤの片極性パルスが出力する。
【００３６】
画素Ｐｉｘ（１，２）に印加する駆動電圧は、走査電極側の電位０Ｖを基準とするとＴＳ（１，２）のようになる。選択期間ＳＥの前半で電圧（−（＋ＶＳ＋ＶＤ））が印加されると図３でいうところの閾値Ｖ３を超え第２の強誘電状態すなわち黒表示となる。なお保持期間ＮＳＥでは走査側電極波形は一定出力であるために、信号側電極波形と同等の電圧波形±ＶＤが印加されるが図３でいうところの閾値Ｖ１を超えないので、第２の強誘電状態すなわち黒表示を維持する。
【００３７】
第二の期間Ｆ２において、図４（ｂ）に示すように、強誘電性液晶パネルの１行１列目の画素Ｐｉｘ（１，１）が黒表示とするには、選択期間ＳＥに走査電極ＴＰ１は選択電圧±ＶＳの双極性パルスを出力し、保持期間ＮＳＥに保持電圧０Ｖを出力する。選択期間ＳＥに信号電極ＳＧ１はデータ電圧＋ＶＤの方極性パルスが出力する。
【００３８】
画素Ｐｉｘ（１，１）に印加する駆動電圧は、走査電極側の電位０Ｖを基準とするとＴＳ（１，１）のようになる。選択期間ＳＥの後半で選択パルス（−（ＶＳ＋ＶＤ））が印加されると図３でいうところの閾値Ｖ３を超え第２の強誘電状態すなわち黒表示となる。なお保持期間ＮＳＥでは走査側電極波形は一定出力であるために、信号側電極波形と同等の電圧波形±ＶＤが印加されるが図３でいうところの閾値Ｖ１を超えないので、第２の強誘電状態すなわち黒表示を維持する。
【００３９】
同様に、１行２列目の画素Ｐｉｘ（１，２）が白表示とするには、第一の期間Ｆ２において、選択期間ＳＥに走査電極ＴＰ１は選択電圧±ＶＳの双極性パルスを出力し、保持期間ＮＳＥに保持電圧０Ｖを出力する。選択期間ＳＥに信号電極ＳＧ２はデータ電圧−ＶＤの方極性パルスが出力する。
【００４０】
画素Ｐｉｘ（１，２）に印加する駆動電圧は、走査電極側の電位０Ｖを基準とするとＴＳ（１，２）のようになる。選択期間ＳＥの前半で選択パルス（＋ＶＳ＋ＶＤ）が印加されると図３でいうところの閾値Ｖ１を超え第１の強誘電状態すなわち白表示となる。なお保持期間ＮＳＥでは走査側電極波形は一定出力であるために、信号側電極波形と同等の電圧波形±ＶＤが印加されるが図３でいうところの閾値Ｖ３を超えないので、第１の強誘電状態すなわち白表示を維持する。
【００４１】
ここで、本実施例は基準電位を０Ｖにしているが、走査側電極波形の基準電位と信号側電極波形の基準電位を等しくすれば、どのような値にしても容易に実現できる。また、回路での貫通電流削減や、液晶表示でのクロストーク低減のために各電圧印加の切り替わり時に０Ｖを挿入した駆動方法になっているが、切り替え時に０Ｖを挿入しない駆動方法でもよい。
【００４２】
このように一画面を構成するフレーム期間において、駆動電圧の正側実効値と負側実効値とが等しくなるように設定されている。また、第一のフィールド期間における選択期間に印加される選択パルスと第二のフィールド期間における選択期間に印加される選択パルスとは極性が反転している。さらに選択期間に印加される走査側電圧波形ＴＰ１は双極性パルスで構成され、信号電圧波形ＳＧ１，ＳＧ２は片極性パルスで構成されている。なお、透過率波形ＴＶ（１，１）やＴＶ（２，１）は上述した波形を強誘電性液晶パネルに印加したときの光学特性をフォトディテクタ等で検出したときのものである。
【００４３】
また、本発明ではメモリ性液晶を用いているので、反転表示を行っている領域を除く表示領域では、一度書き込みを行えば、表示を維持することができる。よって、反転表示を行う領域だけに電圧を印加する部分駆動を行うことができる。このように部分駆動を行うことによって、より消費電力を少なくすることが可能である。
【００４４】
このような駆動方法を採用すれば、リセット期間ＲＳを設けなくても、図７に図示したように、反転駆動を行うことができる。さらに、通常の時刻表示を行っている通常表示モードでは、前述したリセット期間ＲＳと選択期間ＳＥと非選択期間ＮＳＥとを備える図５のような駆動方法で表示を行い、時刻修正などを行う特定表示モードでは、リセット期間ＲＳのない、選択期間ＳＥと非選択期間ＮＳＥのみで構成される図１のような駆動方法を用いる。
【００４５】
図８に本実施の形態におけるメモリ性液晶を駆動するための液晶表示装置の概略回路ブロック構成図を示す。メモリ性液晶パネル４０は、各走査電極に電圧波形を印加するための走査電極駆動回路８１、各信号電極に電圧波形を印加するための信号電極駆動回路８２、強誘液晶表示装置全体を制御する制御部８３、各種データを一時的に保管するＲＡＭ８４、文字表示のためのフォントデータやプログラムを記憶するＲＯＭ８５、により駆動される。
【００４６】
電源回路８０は、チャージポンプ式やスイッチングレギュレータ式などにより各ブロック回路に必要な電源を生成し、電源として乾電池や光発電素子（太陽電池など）及び２次電池などを有する。
【００４７】
さらに、操作者より外部スイッチ８６が押されると、制御部８３は通常モードの表示状態から特定モードの表示に切り替わるように、走査電極駆動回路８１及び信号電極駆動回路８２に制御信号を出力する。
【００４８】
これにより、選択期間における走査電極からの選択電圧と信号電極からのデータ電圧の組み合わせによって任意の画素に任意の色（白あるいは黒）を繰り返し表示することが可
能となり、図７のようにデジタル表示の時計の時刻修正モードにおいて、容易にネガポジ反転機能が実現できる。
【００４９】
さらに、リセット期間よる不要な表示（全面黒あるいは白）が無くなるので、表示品質が格段に向上する。さらに、複数のフィールド期間による、選択期間および保持期間により、強誘電性液晶に印加する電圧は正側と負側とで時間平均が等しくできるので、直流電圧印加による液晶の劣化も生じない。
【００５０】
また、リセット期間が不要となることで全画面を同一表示することがなくなるので、液晶パネルの各画素に接続しているドライバＩＣの出力トランジスタが同時に全て導通することもなくなる。トランジスタのオン抵抗を高くすることで、貫通電流などが低く抑えられＩＣの消費電力を低減できる。さらに、複数の出力トランジスタに電源を供給する電源回路が小さくなり、ＩＣのチップサイズの小型化も図れる。
【産業上の利用可能性】
【００５１】
以上のように、本発明にかかるメモリ性液晶表示装置は、携帯情報端末の表示媒体に有用であり、特にデジタル時計などの太陽電池で駆動したときにも長時間使い続ける必要がある端末に適している。また、画面書き換えが頻繁に行なわれていないので、画面ちらつきのない良好な表示が実現できる。
【図面の簡単な説明】
【００５２】
【図１】本発明のメモリ性液晶における駆動波形と光学応答と関係を示す特性図である。
【図２】本発明の液晶表示パネルの構成を示す断面図である。
【図３】強誘電性液晶における印加電圧と透過率との関係を示す特性図である。
【図４】液晶パネルをマトリクス型の画素に形成したときの電極配置を示した平面図である。
【図５】従来のメモリ性液晶における駆動波形と光学応答と関係を示す特性図である。
【図６】従来のメモリ性液晶を用いたデジタル時計の特定表示を行う時の表示例である。
【図７】本発明のメモリ性液晶を用いたデジタル時計の特定表示を行う時の表示例である。
【図８】本発明のメモリ性液晶を駆動するための液晶表示装置の概略ブロック構成図である。
【符号の説明】
【００５３】
ＴＰ１  １行目の走査電極
ＴＰ２  ２行目の走査電極
ＳＧ１  １列目の信号電極
ＴＳ（１，１）  １行１列の画素に印加する合成電圧波形
ＴＳ（２，１）  ２行１列の画素に印加する合成電圧波形
ＴＶ（１，１）  １行１列の画素の透過率特性波形
ＴＶ（２，１）  ２行１列の画素に透過率特性波形
４０  液晶パネル
４１ａ、４１ｂ  偏光板
４２  液晶層
４３ａ、４３ｂ  ガラス基板
４４ａ、４４ｂ  透明電極
４５ａ、４５ｂ  配向膜
４６  反射板
４７  シール剤
８０  電源回路
８１  走査電極駆動回路
８２  信号電極駆動回路
８３  制御部
８４  ＲＡＭ
８５  ＲＯＭ
８６  外部スイッチ
【図１】
2008070627.tif 000003
【図２】
2008070627.tif 000004
【図３】
2008070627.tif 000005
【図４】
2008070627.tif 000006
【図５】
2008070627.tif 000007
【図６】
2008070627.tif 000008
【図７】
2008070627.tif 000009
【図８】
2008070627.tif 000010